(57)【特許請求の範囲】
【請求項１】
突条を挟んで２条のガラス装着溝を並行に有する断面Ｅ字形をなすアルミの押出型材を前記ガラス装着溝を内側にしてコ字形に屈曲し、一側枠部を中心にその両端部から並行する２側枠部を形成し、更に前記並行する２側枠部の端部間に他側枠部を渡して矩形の枠本体を組み立てる一方、前記並行する２側枠部の各端部において開放する前記ガラス装着溝の端部から前後２枚のガラスの縁部をそれぞれ嵌入して該２枚のガラスを前後間隔を置いて対面状に装着してなるパチンコ機のガラス枠において、
前記枠本体のコ字形に屈曲するコーナー部には前記２条のガラス装着溝の底部に長さ方向に沿って切り欠く突出し穴を形成し、該ガラス装着溝に装着される前記ガラスの隅部を前記突出し穴を通して外に抜き出すと共に、前記コーナー部の外側面には帯状金属板をクランク状に曲成し、その一片に軸受片を一体に設けてなる枢着片を止着して前記突出し穴から外に突出す前記ガラスの隅部を被うようにしてなることを特徴としたパチンコ機のガラス枠。
【発明の詳細な説明】
【０００１】
【産業上の利用分野】
本発明は、パチンコ機において遊技板の前面を被うガラスを装着するためのガラス枠に関する。
【０００２】
【従来の技術】
パチンコ機の遊技板の前面はガラスで被い球の飛び出しやゲームの不正行為を防止しているが、このガラスは通常金属製のガラス金枠と称せられる枠内に収められて前枠に取り付けられるものとなっている。従来この金枠はスチール製の帯板をプレス成形によって２条のガラス装着溝をもった枠材に形成し、この枠材を装着溝を内側にして矩形に折り曲げ枠本体を形成し、更にこの枠本体の前縁部に沿って額縁形をなす飾り前面枠を組付けて構成してあり、通常は上に向け開放する上記装着溝の端部からそれぞれガラスを落とし込むようにして装着するものとしている。
【０００３】
この金枠は通常前枠の前面の一側縁に蝶着して開閉自由に取付けられ、前枠の開口部を閉塞して遊技板の前面を被うようにしてあり、このとき前記飾り前面枠を開口部の縁に添わせて間隙を密閉し不正行為が行われないようにしている。
【０００４】
【発明が解決しようとする問題点】
しかし、このスチール製金枠は上述したようにプレス成形によるためスプリングバックによって形状が戻り精度が出し難く、ことにガラスの装着溝の幅に不安定さがあり装着したガラスとの間に不要な間隙を生じる問題があった。またこの金枠は枠本体と飾り前面枠とを別体に成形してその後この両者を結合させ組み立てる構造に係るため製造性が悪く、しかも強度的にも不安定なものがあり防犯上問題があった。
【０００５】
本発明は、この様な問題点に鑑みこれを改善する目的でなされたもので、ガラス枠の本体を形成する枠材をアルミの押出形材にしてこれに設けるガラスの装着溝を正確に形成して精度をもったガラス枠を形成すると共に、上記アルミの形材を矩形に折り曲げることで製造できる製造性に優れたパチンコ機のガラス枠を提供せんとするものである。
【０００６】
【問題点を解決するための手段】
本発明は上述の目的に基づきなされたもので、その特徴とするところは前枠に対して開閉自由に蝶着される額縁形に形成してなる飾り枠体の背面に蝶着されるガラス枠にあって、該ガラス枠は突条を挟んで２条のガラス装着溝を並行に有する断面Ｅ字形に押出成形されるアルミ型材を素材とし、該型材を前記装着溝を内側にコ字形に屈曲して一側枠部を中心に並行する２つの側枠部を形成すると共に、上記並行する２側枠部の端部間に他側枠部を渡して矩形の枠本体を組み立て、その一方、前記２側枠部の端部において開放する前記装着溝の端部からそれぞれガラスの縁部を嵌入して２枚のガラスを間隔を置いて対面状に装着するようにしたパチンコ機のガラス枠を提供することにある。
【０００７】
また本発明は、前記枠本体の屈曲するコーナー部には２条のガラス装着溝の底部を長さ方向に沿って切り欠いて突出し穴を形成し、装着されるガラスの隅部を外に向けて抜き出すようにしてなることを特徴としたパチンコ機のガラス枠を提供することにある。
【０００８】
また本発明は、前記枠本体のコーナー部には外側面に帯状金属板を直角状に曲成し且つその一片に軸受片を一体に有する枢着片を止着し前記突出し穴から外に突出するガラスの隅部を被ってなることを特徴としたパチンコ機のガラス枠を提供することにある。
【０００９】
【作    用】
本発明によれば、上述の構成によって明らかなようにガラス枠本体を形成する枠材を突条を挟んで並行する２条のガラス装着溝を有する断面Ｅ字形をなすアルミの押出型材としたことから容易に精度の高い枠体を得ることができ、またこの型材の屈曲により枠本体を容易に成形することができることになる。
次に、本発明の特徴とするところを図面に示す実施例に従って詳細に説明することにする。
【００１０】
【実施例】
図１は本発明に係るガラス枠を装着したパチンコ機のガラスを取り外した状態の斜視図であり、図２は機枠から外した前枠の正面図で、図３は前枠に組付ける諸種の部材を外した状態を示す分解斜視図である。図面において１ａはパチンコ機の機枠であり、１ｂは前枠である。
前枠１ｂは上下の枠部分２，３と左右の枠部分４，５によって縦長矩形の額縁形に形成してあり、各枠部分を平板にすることによって全体を扁平に形成してある。この前枠は合成樹脂を素材に一体成形してあり、左枠部分４側の上端と下端には前記機枠１ａに開閉自由に蝶着するための上下の蝶着片６，７を止め付ける金属製の当板８，９が取付き、また開口部１０に臨む右枠部分５の内側縁には後述する飾り枠体を施錠する錠装置１１を止め付ける金属製当板１２，１３が取付けてある。
【００１１】
この前枠１ｂは前記機枠の前面を被う大きさに形成し、下枠部分３の前面は後述する下皿基板１４を止着する取付部として平滑な面に形成してあり、その中央部には賞球の出口となる窓１５を開設し、左右及び中央部の適所には下皿基板１４の背面から突出する鉤形の係止爪を掛け止める係止孔１６を設けている。
【００１２】
開口部１０は後述する遊技板の前面を覗かせると共に打球発射装置の前面を覗かせるもので、この開口部には飾り枠体１７と上皿基板１８が組付けられる。
左枠部分４には上下の端部に設けられる蝶着片６，７の中間に位置するように中間の蝶着片１９が設けてある。この蝶着片１９と上蝶着片６に飾り枠体１７の左側縁の上下両縁を枢着し、これを開閉自由に蝶着する。その一方上記中間蝶着片１９とこの蝶着片と向い合う下皿基板１４の上端部の間に上皿基板１８の左側縁部を収め、その上下両端を各枢着して同じく開閉自由に蝶着し、この両者を揃えて閉じることによって開口部１０を塞ぐことができるようにしてある。
【００１３】
上記飾り枠体１７は図１０に示したように蝶着側一側縁の上端部にバネによって上方に突出するように付勢される枢着軸２０を備え、この枢着軸２０を上蝶着片６に設ける軸受孔に嵌合することによって、また下端部に下向きに突出する軸２１を中間蝶着片１９の軸受孔に嵌合させることによって蝶着するようにしてある。他方、上皿基板１８は蝶着側下端部に設ける下向きの軸２２を下皿基板１４の一側縁上端部に設ける軸受孔２３に嵌合させ、上端部に設ける軸受孔２４に前記飾り枠体１７の軸２１を嵌合させることによって蝶着するようにしてある。
【００１４】
上記上皿基板１８は軸２２を引き上げ軸受孔２３から抜き取ることによって蝶着を解除することができ、前枠１ｂから取り外すことができるものとなっている（これについては後記詳述する。）。また飾り枠体１７はバネに抗して軸２０を引き下げ上蝶着片６から外したのち、枠体１７を持ち上げて軸２１を中間蝶着片１９から外すことによって前枠１から取り外せるものとなっている。勿論、飾り枠体１７、上皿基板１８の両者は上述した取り外しの逆の作業によって前枠１ｂに組付けることができる。
【００１５】
飾り枠体１７は合成樹脂を材料に額縁形に形成してあり、閉じたとき前枠１ｂの略上半部の全面を被い隠せる大きさに形成してある。ここに示す飾り枠体は上縁部１７ａと左右の縁部１７ｂ，１７ｃを前方に膨出させて立体化し、背面に中空部２５を形成してランプのリード線の配線空間を設けている。上記各縁部の前面には着色した半透明のレンズカバー２６，２７，２８を装着して各縁部に形成する透孔２９を通して前方に向け臨む表示乃至照明用ランプを被うようにしてある。
【００１６】
上記レンズカバー２６，２７，２８はそれぞれの縁部１７ａ，１７ｂ，１７ｃの前面に形成する縁取りした装着部３０に嵌め付けるようにして取付けるようにしてあり、それぞれのカバーの縁から後方に向け突出する爪３１を上記装着部３０の縁に沿って設ける切欠き係止部３２に弾性を利用して係入し取付けるようにしてある。尚、ここでは左右のカバー２７，２８を装着したのち上部のカバー２６を装着して三者の端部を継ぎ合せて飾り枠体１７の前面を門形に飾るようにしてある。
【００１７】
図中、３３は上記飾り枠体１７の背面から開口部３４を塞ぐ本発明に係るガラス枠である。このガラス枠３３は２枚のガラス３５，３５を間隔をおいて対面状に装着するもので、一側縁を飾り枠体の左縁部１７ｂの背面に蝶着して開閉自由に取付けられる。
【００１８】
ここに示したガラス枠３３は防犯効果を高めると共に装着時のガタ付きを防止するためアルミの押出型材を素材に形成して精度を高めてある。ここに使用される型材は図１６に示したように中央部に中心部分に沿って円形の貫通穴を設ける突条３６を長さ方向に沿って隆設し、この突条を挟んで２条のガラス装着溝３７，３７を設けてあり、実質的に断面Ｅ字型をなすように形成してある。この型材を長さの途中において図示するようにコ字形に屈曲させて一側枠たる左縦枠３３ａと上下の側枠たる横枠３３ｂ，３３ｃを形成し、更にこの両横枠３３ｂ，３３ｃの自由端間に別の断面コ字型をなすアルミの型材の側枠たる右縦枠３３ｄを渡して矩形の枠体に組み立てて構成してある。
【００１９】
上記右縦枠３３ｄは図１４，１５に示すようにコ字形に屈曲する型材の突条３６の幅員に合わせた細身の型材であり、上下の横枠３３ｂ，３３ｃの端部に臨む突条３６，３６間に両端を渡してビス（図示せず）を前記円穴に揉み込むことによって連結し矩形に組立てあり、またこの右縦枠３３ｄの連結によって上下の横枠のガラス装着溝３７，３７の端部を開放し（図１５参照）、ここからガラス３５の挿入が行えるようにしてある。
【００２０】
ところで、ガラス枠３３を構成する型材は前述した様に一側枠たる左縦枠３３ａを中心にしてその両端を直角に折り曲げることによって上下の側枠たる横枠３３ｂ，３３ｃを形成するものとしているが、この折曲げによって形成されるコーナー部３８，３８は直角とはならず弧状を呈することになる。このため矩形に切り出すガラス３５を前記装着溝３７の端部から差し入れ装着すると、直角をなすガラスの隅部が弧状をなす上記コーナー部３８に収まらず、その結果左縦枠３３ａとガラス３５の側縁との間に隙間が出来ることになる。
【００２１】
上記の問題はガラス３５の隅部をコーナー部３８に合わせて弧状に隅取りすれば解決されるが、ガラスにこの様な前加工を施すことはコスト高になると同時に、ガラスの一側縁上下両隅部にのみ加工することになることからガラス３５のはめ込みに方向性が生じ、取扱い上不便になる。
そこで本発明では両コーナー部３８，３８に当たるガラス装着溝３７，３７の底部を弧状をなす部分において長さ方向に添って切除し、長孔状の突出し穴３９、３９を開設してガラスの隅部が抜き出るようにし、矩形に形成されるガラス３５の隅部がガラス枠の弧状のコーナー部３８に対してぴったり正確に収まるようにしてある。
【００２２】
図中、４０はガラス枠内に嵌め入れたガラス３５のガタ付きを止めるため上下の横枠３３ｂ，３３ｃに取付けたガタ止めである。このガタ止め４０は弾性を有した合成樹脂を素材に成形してあり、図示するように断面コ字形をなす取付部４０ａとこの取付部４０ａの両端部から延設する二股のバネ片４０ｂからなっており、取付部４０ａを各横枠の突条３６に被せるように嵌め付け、これに突設する突起４０ｃを突条３６に設ける穴４１に圧入することで取付き、各バネ片４０ｂをそれぞれの装着溝３７内に長さ方向に沿って嵌め入れるようにしてある。
【００２３】
図１９及び図２０は上記ガタ止め４０の装着と、このガタ止めによるガラス３５のガタ付き防止の実際を下横枠３３ｃにおいて示したものである。ガラス装着溝３７の端部から挿入されるガラス３５は横枠の途中に取付けられるガタ止め４０に達したところで、溝３７に横たわるバネ片４０ｂを押し潰して侵入し、左縦枠３３ａの装着溝３７に一側縁を嵌め入れるまでスライドさせて装着される。
【００２４】
２枚のガラス３５は同様にしてそれぞれの装着溝３７に差し入れられ、それぞれのガタ止め４０のバネ片４０ｂを押し潰し、その反発力で溝の側壁に押圧されガタ止めされることになり、且つ間隔を保つことになる。このガタ止め４０は上横枠３３ｂにも相対向するように装着され、上下においてガタ止めすることになる。
【００２５】
ところでこのガタ止め４０の装着のため、この実施例ではガラス枠の各装着溝３７の幅をガラス３５の板厚より広幅に形成してあり、ガラス３５と共にバネ片４０ｂが収まるようにしてある。またこの幅の拡張によってガラス３５の嵌め付けが楽に行えるようにしてある。そして、またガラス３５を内外方向から押圧した場合、その力をバネ片４０ｂが吸収してくれるようにしてある。
特に上記バネ片４０ｂによる押圧の吸収はこのガラス枠３３を前記飾り枠体１７に閉じ合わせたとき、開口部３４の後方に向って突き出す縁３４ａを前方のガラス３５の前面に当接させ密着させることができると共に、この閉じあわせに当たって双方の位置関係に誤差がある場合これを吸収することができ有効に作用させることができる。
【００２６】
尚、上記ガタ止め４０は当該実施例において取付部４０ａの両端にバネ片４０ｂを一対宛備えた例につき説明したが、一端側のバネ片４０ｂのみであっても、また両端から派生する２つのバネ片の一方を省略して２条の装着溝３７に１つづつのバネ片が介入するようにしても実施できることは言うまでもない。
このガタ止め４０は前述したようにガラス枠に嵌め込まれるガラス３５の板厚と装着溝３７の溝巾の差から生ずるガタ付きを防止するための外、ガラス枠を飾り枠体１７に閉じ合わせたとき両者間の閉じ合わせの誤差から生ずるガタ付きを防止するためにあることから、その取付位置、個数或いはバネ片の数等の選択は実施に当たって設計者に委ねられる。
【００２７】
図中、符号４２，４３はガラス枠３３を飾り枠体１７に蝶着するための枢着片である。この枢着片は帯状の金属片をクランク状に屈曲させ形成したもので、ガラス枠３３のコーナー部３８の外側に添わせてリベット等を使って一体に止め付けられる。この枢着片の取付けによりコーナー部３８の突出し穴３９から外に突出するガラス３５の隅部が被われることになり取扱い時の危険が回避されることになる（図１７参照）。
【００２８】
上記ガラス枠３３は飾り枠体１７の左縁部１７ｂの背面の上下に備えられる枢着軸４４，４５に上記枢着片４２，４３の軸受片４２ａ，４３ａを各枢着させることによって開閉自由に取付き、自由端側の右縦枠３３ｄに設けるピン４６を係止爪４７に係合させることによって閉塞状態に保持される。
【００２９】
係止爪４７は右縁部１７ｃの背面に立設する取付台４８にビス４９で止め付け立ち上げてあり、ガラス枠３３の閉塞によって上方（実際には後方水平方向）から近付いてくるピン４６を爪５０の頭部に受けてその傾斜面に透導して一旦撓ませたのち掛け止めるられる。
図中、５１はこのガラス枠の閉塞に際してピン４６を係止爪４７に真直に衝合させ係合するよう誘導するためのガイドであり、飾り枠体の右縁部１７ｃの背面部から壁状に立設し、縦に切込むスリット５２にピン４６を滑合させ係止爪４７に誘導できるようにしてある。尚、図中、５３は上記係止爪４７を位置決め固定する突起である。
【００３０】
ガラス枠３３を背面に備えた飾り枠体１７は前述したように枢着軸２０，２１を支点に前枠１ｂの前面に接面するように閉じ合され、自由端側となる右縁部１７ｃの背面に備える係止爪（図示せず）を施錠装置１１に掛け止め施錠される。そして、このとき前枠１の右枠部５の前面中央部に備える鍵穴飾り５４を右縁部１７ｃに設ける切欠き部５５に受け入れ両者の衝突を避けるようにしてある。
【００３１】
鍵穴飾り５４は前枠１ｂを機枠１ａに施錠して任意に開放しないようにするシリンダ錠５６を前枠１ｂに取付けるための取付部材である。この鍵穴飾りは前方からシリンダ錠の鍵穴に鍵を差し入れ開錠したとき、この鍵を差し入れたまゝ飾り枠体１７を自由に開閉操作できるよう鍵の操作摘みの幅より広幅に形成してあり、また切欠き部５５はこの鍵穴飾り５４を受け入れると同時に両者の間に不要の間隙が生じない大きさに形成してある。
【００３２】
上記鍵穴飾り５４は飾り枠体１７を閉じ合せたとき一体感を出すため前面にはカバー２８に調子を揃えたレンズカバー５７が装着してある。図中５８はシリンダ錠５６の回転片であり、機枠１ａに掛け止められる係止フック５９を解錠操作時に作動させることになる。
【００３３】
一方、前記上皿基板１８は前述したように軸２２を下皿基板１４の軸受孔２３に軸着し、左側上端部の軸受孔２４に中間蝶着片１９に枢着した軸２１を嵌入させることによって蝶着され開閉自由に前枠１ｂに組付けられるが、この基板は前記飾り枠体１７に合せて合成樹脂を素材に成形し、上部前面の中央部に賞球装置から放出される賞球を受ける受皿６０を一体に設け、基板背面の適所には打球供給樋６１や、放出賞球を賞球樋から受け取る連絡樋６２を装備する裏基板（図示せず）を止め付けるためのビス受け６３が設けてある。そして、蝶着端側の背面には軸２２を支持し、また軸受孔２４を補強する金属製補強材６４が、そして自由端側の背面には係止部材６５がそれぞれ取付けてある。
【００３４】
補強材６４は帯状の金属板の両端を直角に折り曲げ、一方を軸受孔２４の補強片６６とし、他方を軸２２の支持片６７とするもので、上記補強片６６には軸受孔２４に対応した位置に透孔６８を設け、支持片６７には軸２２を受け入れる挿通孔を設けてある。
軸２２は金属丸棒をＬ字形に折り曲げ形成したもので、一方の軸を摘みとして補強材に縦に開設するスリット６９に滑合させて上記支持片６７の挿通孔に通した他方の軸をこの摘みにより上下に操作できるようにしてある。
【００３５】
この軸２２の上下の移動は上皿基板１８の装着に便ならしめるためのもので、前述したように中間蝶着片１９に通した軸２１を軸受孔２４、透孔６８に挿通したのち、軸２２を引き上げて下皿基板１４の軸受孔２３の直上に臨ませ、その後スリット６９に滑合する軸部（摘み）を操作して引き下げ軸受孔２３に突入させることによって上皿基板１８の組付けが行えるようにしてある。
【００３６】
一方、係止部材６５は取付片７０とスライド係止片７１からなっており、取付片７０を介して基板の自由端側背面に設けられる取付部７２に装着される。
スライド係止片７１はこの片に設ける爪７３と取付片７０に設ける爪７４との間に縮設するバネ（図示せず）によって常時上方に付勢され、前記軸２１，２２を支点に上皿基板１８を回動し閉塞したとき、このスライド係止片７１から後方に向けて突設する係止爪７５を前枠１の右枠部５に設ける係止部７６に上記バネに抗して掛け止められるようにしてある。
【００３７】
上記係止部７６は金属板を打抜き形成したものであり、係止爪７５はこの係止部７６に開設する穴７７に突入し掛け止められることになる。そして、係止部材６５は上皿基板の自由端側上端に頭を出すスライド係止片７１の上端７８を押圧することによって係止爪７５の係合を解き上皿基板の開放を許すことになる。
【００３８】
上皿基板１８の前面に設けられる受皿６０の前面には飾り枠体１７の左縁部１７ｂの前面に沿って縦長に配置されるレンズカバー２７に揃えてこれに連続するように横長の飾りレンズカバー７９が配設される。また、前面右側縁には同じくレンズカバー２８の下端に接続するように飾りレンズカバー８０を配設し、この上皿基板１８と飾り枠体１７とが一つの統一した意匠の中にあるように揃えてある。
【００３９】
下皿基板１４は前枠１ｂの下枠部３の前面に固定されるが、上皿基板と同様に合成樹脂を材料に成形されるもので、前面には受皿８１と灰皿８２の取付部８３と打球発射用の操作グリップ８４を装置する装着部８５が一体に備えられ、上記受皿８１の前面にはレンズカバー８０に続く飾りのレンズカバー８６を装着して上皿基板と一体となる意匠が施してある。
【００４０】
図中、８７は前枠１ｂの背面に取付けられる機構枠体である。この機構枠体８７は金属板で浅い箱形に形成してあり、内部下方には上下に仕切るように遊技板８８の受台８９が設けてあり、その前面部には打球発射装置９０ａと発射レール９０ｂが備えられる。この機構枠体の背面上部には賞球タンク９１が取付けられ、窓９２を開設した背板９３の背面には賞球装置、賞球放出樋、セーフ球集合室、セーフ球通路等の機構装置、部品類が設備され、更にこれら部品類を被うカバー９４が取付けられると共に、機構枠体の下方には賞球箱９５が取付けられ、前記下皿基板１４の背後から受皿８１に賞球を送り出せるようにしてある。
【００４１】
遊技板８８は前枠１ｂの開口部１０を塞ぐ飾り枠体１７、上皿基板１８を開放して前方から機構枠体内部に持込み、機構枠体に備える止めクリップ（図示せず）で遊技板の周縁部を固定し着脱自由に取付けられ、常には閉塞される飾り枠体１７の開口部３４に装着されるガラス枠３３を通して前方から覗けるものとなっている。
【００４２】
ところで、前記飾り枠体１７及び上皿基板１８は使用時塞閉状態におかれ、前枠１ｂの開口部１０を閉ざすことになるが、両者の召し合せ部分を通しておこなはれる遊技板に対する不正行為を防止するため、前枠１ｂの前面外周縁には縁に沿って段部９６を設け、また飾り枠体１７と上皿基板１８の周縁部には上記段部９６に嵌り付く後向きの縁部９７，９８が設けてある。
【００４３】
飾り枠体１７と上皿基板１８の横幅を前枠１ｂの横幅に揃えてその前面を被う大きさに形成してあるのは理由の一つに両者の召し合わせ部分を前枠１ｂの開口部１０から離して不正行為を防止することにあるが、更にここでは段部９６と縁部９７，９８の噛み合せを加えることによってその効果を高めるものにしてある。
【００４４】
本発明における不正行為の防止策について更に説明すると、前枠の右枠部５の前面に取付けられる鍵穴飾り５４とこれに臨む飾り枠体１７の右縁部１７ｃに設けられる切欠き部５５との間にも同じく噛み合せ関係が形成されている。即ち、図８に示す如く鍵穴飾り５４には内側の縁９９を断面コ字形に形成して前方に開放する溝形に形成し、この縁に切欠き部５５の後向きの縁１００を嵌め入れて両者の召し合せ部分からのピアノ線等の不正部材の侵入が阻止できるようにしてある。
【００４５】
また、飾り枠体１７と上皿基板１８とが向い合う縁部には図５及び図７に示したように上皿基板の上縁１０１を断面コ字形にして前方に開放する溝を設け、他方飾り枠体１７の下縁部１７ｄは後向きの縁１０２にして両者を閉じ合せたとき噛み合って前後方向に真直な空隙が出来ないようにしてある。
【００４６】
本発明を図面に従って説明したが、前述した各部は組立製造する前に、各独立のものとして構成され、機枠については矩形の枠体として、また前枠１ｂは扁平な額縁形に、飾り枠体１７、上皿基板１８及び下皿基板１４はそれぞれ合成樹脂を素材に個別に形成し、機構枠体８７については金属板により別体に形成することになる。
【００４７】
この個別に形成される各部につき、機枠１ａについては前枠１ｂを蝶着する蝶着片１０３を予め取付け、前枠１ｂには同じく機枠１ａの蝶着片に対応させて上下の蝶着片６，７と中間蝶着片１９及び施錠装置１１を予め取付けてそれぞれ基本構成体として準備しておかれる。
【００４８】
その一方、飾り枠体１７は前面を飾るレンズカバー２６，２７，２８を装着しておくと共に表示若しくは照明のランプを装着し、上皿基板及び下皿基板についても同様にレンズカバー７９，８６を装着しておくことになる。
機構枠体８７は貯留タンク９１を始めとして諸種の機構部品類を装着し、前面には発射装置９０ａ、発射レール９０ｂ等を組付けておくことになる。
【００４９】
この様に各部材を個別に、しかもそれぞれ予め定められた部品類を装着した部材は独立した状態で保管、管理され、製造の最終組立の段階で集められ、前述した組合せ関係において結合組立て完成される。この組立時には相互の組立調整と電気関係並びに入賞に伴う賞球の放出等の諸調整、検査が行われる。
【００５０】
尚、飾り枠体１７、上皿基板１８、下皿基板１４は組立完成時にパチンコ機の前面に現れ、パチンコ機のデザインを決定することから前枠１ｂとの組立に先立って三者の取り合せが決定され、この段階でパチンコ機そのもののデザインが確定することになる。このことから前枠１ｂと機構枠体８７を同一にして飾り枠体１７、上皿下皿の基板１４，１８の取り合わせを変えることによってデザインを違えた複数種のパチンコ機を製造することができることになる。勿論、パチンコ機は遊技板８８の選択によって、またこの遊技板に組込まれる入賞装置に関連するゲームソフトの変更によって機種が変化し、異なるパチンコ機として組立られることは言うまでもない。
【００５１】
【発明の効果】
以上本発明を図示する実施例につき説明したが、本発明によればガラス枠本体をアルミの押出型材によって構成したことからガラスの装着溝をガラスの板厚に合わせた幅に成形することができ、従って精度の高いガラス枠を提供出来ると共に、上記型材の屈曲によって枠体を構成できることから製造性に優れ安定した製品を容易に提供できる利点がある。
また本発明は上記型材の屈曲によって成形される枠本体において弧状をなすコーナー部のガラス装着溝の底部に突出し穴を開設してガラスの隅部を逃がす構成としたことから矩形のガラスをそのまま装着することができ、不要な加工を省略できるため極めて有利である。
しかも、本発明では上記突出し穴をガラス枠の枢着片によりカバーしガラスの鋭角的な隅部を隠すことから危険を未然に防止することができ安全に使用できる利点がある。
【図面の簡単な説明】
【図１】ガラス並びに遊技板を取り除いた状態の本発明にかかるパチンコ機の斜面図。
【図２】前枠の正面図。
【図３】前枠に組付けられる諸種の部材を外した状態を示す分解斜視図。
【図４】前枠本体の正面図。
【図５】図２のＡ−Ａ線拡大断面図。
【図６】図５のイの円で囲んだ部分の拡大断面図。
【図７】図５のロの円で囲んだ部分の拡大断面図。
【図８】図２のＢ−Ｂ線拡大断面図。
【図９】図２のＣ−Ｃ線拡大断面図。
【図１０】飾り枠体の背面図。
【図１１】飾り枠体の分解斜視図。
【図１２】飾り枠体からガラス枠を外した状態の背面側から見た斜視図。
【図１３】一部欠截したガラス枠の拡大背面図。
【図１４】一部欠截したガラス枠の拡大平面図。
【図１５】一部欠截したガラス枠の拡大右側面図。
【図１６】ガラス枠を構成する型材の拡大断面図。
【図１７】ガラス枠の一部断面としたコーナー部を中心とした部分拡大背面図。
【図１８】ガラス枠の部分の分解拡大斜視図。
【図１９】ガタ止めを装着したガラス枠の部分拡大平面図。
【図２０】ガタ止めとガラスとの関係を示すガラス枠の部分拡大平面図。
【図２１】ガラス枠の閉塞状態におけるピンと係止片との関係を示す拡大背面図。
【図２２】図２０のＤ−Ｄ線断面図。
【図２３】上皿基板の分解拡大斜視図。
【図２４】上皿基板の平面図である。
【符号の説明】
１ａ              機枠
１ｂ              前枠
２                前枠の上枠部分
３                前枠の下枠部分
４                前枠の左枠部分
５                前枠の右枠部分
６                上の蝶着片
７                下の蝶着片
１０              前枠の開口部
１４              下皿基板
１７              飾り枠体
１８              上皿基板
１９              中間の蝶着片
３３              ガラス枠
３３ａ            ガラス枠の左縦枠
３３ｂ，３３ｃ    ガラス枠の上、下の横枠
３３ｄ            ガラス枠の右縦枠
３５              ガラス
３６              突条
３７              ガラス装着溝
３８              ガラス枠のコーナー部
３９              突出し穴
４０              ガタ止め
４２，４３        枢着片
４４，４５        枢着軸
【図１】
0003603125.tif 000002
【図２】
0003603125.tif 000003
【図３】
0003603125.tif 000004
【図４】
0003603125.tif 000005
【図５】
0003603125.tif 000006
【図６】
0003603125.tif 000007
【図７】
0003603125.tif 000008
【図８】
0003603125.tif 000009
【図９】
0003603125.tif 000010
【図１０】
0003603125.tif 000011
【図１１】
0003603125.tif 000012
【図１２】
0003603125.tif 000013
【図１３】
0003603125.tif 000014
【図１４】
0003603125.tif 000015
【図１５】
0003603125.tif 000016
【図１６】
0003603125.tif 000017
【図１７】
0003603125.tif 000018
【図１８】
0003603125.tif 000019
【図１９】
0003603125.tif 000020
【図２０】
0003603125.tif 000021
【図２１】
0003603125.tif 000022
【図２２】
0003603125.tif 000023
【図２３】
0003603125.tif 000024
【図２４】
0003603125.tif 000025